【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
フルオロポリマー組成物であって、
−  少なくとも１つの熱可塑性フルオロポリマー［ポリマー（Ｆ）］であって、ＡＳＴＭ  Ｄ３４１８に従って測定されたときに少なくとも２５Ｊ／ｇの前記ポリマー（Ｆ）の融解熱（ΔＨｆ）を有し、５０〜９５重量％の量で存在し、
（ａ’）少なくとも８５モル％の、フッ化ビニリデン（ＶＤＦ）に由来する繰り返し単位と、
（ｂ’）任意選択的に、０．１〜１５モル％の、ＶＤＦとは異なるフッ素化モノマーに由来する繰り返し単位と、
（ｃ’）任意選択的に、０．１〜５モル％の、１つ以上の水素化コモノマーに由来する繰り返し単位と
を含むポリマーであり、全ての上記の前記モル％は、前記ポリマー（Ｆ）の繰り返し単位の総モルを基準とする、少なくとも１つの熱可塑性フルオロポリマー［ポリマー（Ｆ）］と、
−  少なくとも１つの熱可塑性エラストマー［ポリマー（Ｆ−ＴＰＥ）］であって、
（ｉ）繰り返し単位の配列からなる少なくとも１つの弾性ブロック（Ａ）であって、前記配列は、少なくとも１つのフッ素化モノマーに由来する繰り返し単位を含み、前記ブロック（Ａ）は、ＡＳＴＭ  Ｄ３４１８に従って測定されたときに２５℃未満のガラス転移温度を有する、少なくとも１つの弾性ブロック（Ａ）と、
（ｉｉ）繰り返し単位の配列からなる少なくとも１つの熱可塑性ブロック（Ｂ）であって、前記配列は、少なくとも１つのフッ素化モノマーに由来する繰り返し単位を含む、少なくとも１つの熱可塑性ブロック（Ｂ）と
を含み、
前記ポリマー（Ｆ−ＴＰＥ）中における前記ブロック（Ｂ）の結晶性及びその重量分率は、ＡＳＴＭ  Ｄ３４１８に従って測定されたときに最大２０Ｊ／ｇの前記ポリマー（Ｆ−ＴＰＥ）の融解熱（ΔＨｆ）を呈するようなものであり、
前記ポリマー（Ｆ−ＴＰＥ）は、５〜３５重量％の量で存在する、少なくとも１つの熱可塑性エラストマー［ポリマー（Ｆ−ＴＰＥ）］と、任意選択的に、
−  最大２５重量％の量の少なくとも１つのメチルメタクリレートポリマー［ポリマー（Ｍ）］と
を含み、前記重量％は、ポリマー（Ｆ）、ポリマー（Ｆ−ＴＰＥ）及びポリマー（Ｍ）の重量の合計を基準とする、フルオロポリマー組成物。
【請求項２】
ポリマー（Ｆ−ＴＰＥ）は、−  少なくとも１つの弾性ブロック（Ａ）であって、
（１）繰り返し単位の配列からなるフッ化ビニリデン（ＶＤＦ）系弾性ブロック（ＡＶＤＦ）であって、前記配列は、ＶＤＦに由来する繰り返し単位と、ＶＤＦと異なる少なくとも１つのフッ素化モノマーに由来する繰り返し単位とを含み、前記ＶＤＦと異なるフッ素化モノマーは、典型的には、
（ａ）テトラフルオロエチレン（ＴＦＥ）、ヘキサフルオロプロピレン（ＨＦＰ）などのＣ２〜Ｃ８ペルフルオロオレフィン、
（ｂ）フッ化ビニル、トリフルオロエチレン（ＴｒＦＥ）、ヘキサフルオロイソブチレン（ＨＦＩＢ）、式ＣＨ２＝ＣＨ−Ｒｆ１（式中、Ｒｆ１は、Ｃ１〜Ｃ６ペルフルオロアルキル基である）のペルフルオロアルキルエチレンなど、ＶＤＦと異なる水素含有Ｃ２〜Ｃ８フルオロオレフィン、
（ｃ）クロロトリフルオロエチレン（ＣＴＦＥ）などのＣ２〜Ｃ８クロロ及び／又は臭素含有フルオロオレフィン、
（ｄ）式ＣＦ２＝ＣＦＯＲｆ１（式中、Ｒｆ１は、ＣＦ３（ＰＭＶＥ）、Ｃ２Ｆ５又はＣ３Ｆ７などのＣ１〜Ｃ６ペルフルオロアルキル基である）のペルフルオロアルキルビニルエーテル（ＰＡＶＥ）、
（ｅ）特に式ＣＦ２＝ＣＦＯＣＦ２ＯＲｆ２（式中、Ｒｆ２は、Ｃ１〜Ｃ３ペルフルオロ（オキシ）アルキル基、例えば−ＣＦ２ＣＦ３、−ＣＦ２ＣＦ２−Ｏ−ＣＦ３及び−ＣＦ３である）のペルフルオロメトキシアルキルビニルエーテルを含む、式ＣＦ２＝ＣＦＯＸ０（式中、Ｘ０は、１つ又は２つ以上のエーテル性酸素原子を含むＣ１〜Ｃ１２ペルフルオロオキシアルキル基である）のペルフルオロオキシアルキルビニルエーテル、及び
（ｆ）式：
2020514510.tif 000001
（式中、Ｒｆ３、Ｒｆ４、Ｒｆ５及びＲｆ６のそれぞれは、互いに等しいか又は異なり、独立して、フッ素原子、任意選択的に１つ以上の酸素原子を含むＣ１〜Ｃ６ペルフルオロ（オキシ）アルキル基、例えば−ＣＦ３、−Ｃ２Ｆ５、−Ｃ３Ｆ７、−ＯＣＦ３又は−ＯＣＦ２ＣＦ２ＯＣＦ３である）
の（ペル）フルオロジオキソール
からなる群から選択される、フッ化ビニリデン（ＶＤＦ）系弾性ブロック（ＡＶＤＦ）と、
（２）繰り返し単位の配列からなるテトラフルオロエチレン（ＴＦＥ）系弾性ブロック（ＡＴＦＥ）であって、前記配列は、ＴＦＥに由来する繰り返し単位と、ＴＦＥと異なる少なくとも１つのフッ素化モノマーに由来する繰り返し単位とを含み、前記フッ素化モノマーは、典型的には、上記のクラス（ｂ）、（ｃ）、（ｄ）、（ｅ）のものからなる群から選択される、テトラフルオロエチレン（ＴＦＥ）系弾性ブロック（ＡＴＦＥ）と
からなる群から選択される少なくとも１つの弾性ブロック（Ａ）と、
−  繰り返し単位の配列からなる少なくとも１つの熱可塑性ブロック（Ｂ）であって、前記配列は、少なくとも１つのフッ素化モノマーに由来する繰り返し単位を含む、少なくとも１つの熱可塑性ブロック（Ｂ）と
を含む、好ましくはそれらからなる組成物（Ｃ）。
【請求項３】
前記弾性ブロック（Ａ）は、ブロック（ＡＶＤＦ）の前記配列の繰り返し単位の総モルに対して、
−  ４５モル％〜８０モル％の、フッ化ビニリデン（ＶＤＦ）に由来する繰り返し単位、
−  ５モル％〜５０モル％の、ＶＤＦと異なる少なくとも１つのフッ素化モノマーに由来する繰り返し単位、
−  任意選択的に、最大１．０モル％の、式ＲＡＲＢ＝ＣＲＣ−Ｔ−ＣＲＤ＝ＲＥＲＦ（式中、ＲＡ、ＲＢ、ＲＣ、ＲＤ、ＲＥ及びＲＦは、互いに等しいか又は異なり、Ｈ、Ｆ、Ｃｌ、Ｃ１〜Ｃ５アルキル基及びＣ１〜Ｃ５（ペル）フルオロアルキル基からなる群から選択され、及びＴは、任意選択的に１つ若しくは２つ以上のエーテル性酸素原子を含む直鎖若しくは分岐鎖Ｃ１〜Ｃ１８アルキレン若しくはシクロアルキレン基又は（ペル）フルオロポリオキシアルキレン基である）の少なくとも１つのビス−オレフィン（ＯＦ）に由来する繰り返し単位、及び
−  任意選択的に、最大３０モル％の、少なくとも１つの水素化モノマーに由来する繰り返し単位を含む、好ましくはそれらからなる繰り返し単位の配列からなるブロック（ＡＶＤＦ）である、請求項２に記載の組成物（Ｃ）。
【請求項４】
前記ブロック（Ｂ）は、
−  フッ化ビニリデン、及び任意選択的に、ＶＤＦと異なる１つ又は２つ以上の追加のフッ素化モノマー、例えばＨＦＰ、ＴＦＥ又はＣＴＦＥ、及び任意選択的に、上記で詳述された水素化モノマー、例えば（メタ）アクリルモノマーに由来する繰り返し単位であって、ＶＤＦに由来する繰り返し単位の量は、ブロック（ＢＶＤＦ）の繰り返し単位の総モルを基準にして８５〜１００モル％である、繰り返し単位の配列からなるブロック（ＢＶＤＦ）、
−  テトラフルオロエチレン及び任意選択的にＴＦＥと異なる追加のペルフッ素化モノマーに由来する繰り返し単位であって、ＴＦＥに由来する繰り返し単位の量は、ブロック（Ｂ）の繰り返し単位の総モルを基準にして７５〜１００モル％である、繰り返し単位の配列からなるブロック（ＢＴＦＥ）、
−  場合により追加のモノマーとの組み合わせにおける、エチレンに由来する繰り返し単位と、ＣＴＦＥ及び／又はＴＦＥに由来する繰り返し単位との配列からなるブロック（ＢＥ／（Ｃ）ＴＦＥ）
からなる群から選択される、請求項１〜３のいずれか一項に記載の組成物（Ｃ）。
【請求項５】
ポリマー（Ｆ−ＴＰＥ）中におけるブロック（Ａ）とブロック（Ｂ）との間の重量比は、９５：５〜６５：３５、好ましくは９０：１０〜７０：３０である、請求項１〜４のいずれか一項に記載の組成物（Ｃ）。
【請求項６】
前記ポリマー（Ｆ−ＴＰＥ）中におけるブロック（Ｂ）の結晶性及びその重量分率は、ＡＳＴＭ  Ｄ３４１８に従って測定されたときに最大２０Ｊ／ｇ、好ましくは最大１８Ｊ／ｇ、より好ましくは最大１５Ｊ／ｇの前記ポリマー（Ｆ−ＴＰＥ）の融解熱を呈するようなものであり、他方では、ポリマー（Ｆ−ＴＰＥ）は、熱可塑特性と弾性特性とを組み合わせて特定の結晶性を有し、少なくとも２．５Ｊ／ｇ、好ましくは少なくとも３．０Ｊ／ｇの融解熱をもたらす、請求項１〜５のいずれか一項に記載の組成物（Ｃ）。
【請求項７】
前記ポリマー（Ｆ）は、
（ａ’）少なくとも８５モル％の、フッ化ビニリデン（ＶＤＦ）に由来する繰り返し単位と、
（ｂ’）任意選択により、０．１〜１２モル％の、ＶＤＦと異なるフッ素化モノマーに由来する繰り返し単位と、
（ｃ’）任意選択により、０．１〜３モル％の、１つ以上の水素化コモノマーに由来する繰り返し単位と
を含むポリマーであり、全ての上記の前記モル％は、前記ポリマー（Ｆ）の繰り返し単位の総モルを基準とする、請求項１〜６のいずれか一項に記載の組成物（Ｃ）。
【請求項８】
前記ポリマー（Ｆ）は、
（ａ’）少なくとも８５モル％の、フッ化ビニリデン（ＶＤＦ）に由来する繰り返し単位と、
（ｂ’）任意選択により、０．１〜１５モル％、好ましくは０．１〜１２モル％、より好ましくは０．１〜１０モル％の、ＶＤＦと異なるフッ素化モノマーであって、好ましくは、フッ化ビニル（ＶＦ１）、クロロトリフルオロエチレン（ＣＴＦＥ）、ヘキサフルオロプロペン（ＨＦＰ）、テトラフルオロエチレン（ＴＦＥ）、ペルフルオロメチルビニルエーテル（ＭＶＥ）、トリフルオロエチレン（ＴｒＦＥ）及びこれらからの混合物からなる群において選択されるフッ素化モノマーと
から本質的になるポリマーであり、全ての上記の前記モル％は、前記ポリマー（Ｆ）の繰り返し単位の総モルを基準とする、請求項７に記載の組成物（Ｃ）。
【請求項９】
ポリマー（Ｍ）は、メチルメタクリレートのホモポリマー並びにメチルメタクリレート及びＣ２〜Ｃ６アルキルアクリレートのコポリマーから選択され、前記コポリマーのメチルメタクリレート含有量は、少なくとも約５５重量％であり、好ましくは少なくとも約６０重量％である、請求項１〜８のいずれか一項に記載の組成物（Ｃ）。それは、一般に、ポリマー（Ｍ）の総重量に対して約９０重量％を超えず、多くの場合、それは、８０重量％を超えない。
【請求項１０】
いかなるポリマー（Ｍ）も含まず、且つ
−  ６５〜９５重量％、好ましくは６７〜９３重量％、より好ましくは７０〜９０重量％のポリマー（Ｆ−ＴＰＥ）、及び
−  ５〜３５重量％、好ましくは７〜３３重量％、より好ましくは１０〜３０重量％のポリマー（Ｆ）
を含み、重量％は、ポリマー（Ｆ−ＴＰＥ）及びポリマー（Ｆ）の総重量に対して定義される、請求項１〜９のいずれか一項に記載の組成物（Ｃ）。
【請求項１１】
フルオロポリマー組成物であって、
−  少なくとも１つの熱可塑性フルオロポリマー［ポリマー（Ｆ）］であって、ＡＳＴＭ  Ｄ３４１８に従って測定されたときに少なくとも２５Ｊ／ｇの前記ポリマー（Ｆ）の融解熱（ΔＨｆ）を有し、５０〜９５重量％の量で存在する少なくとも１つの熱可塑性フルオロポリマー［ポリマー（Ｆ）］と、
−  少なくとも１つの熱可塑性エラストマー［ポリマー（Ｆ−ＴＰＥ）］であって、
（ｉ）繰り返し単位の配列からなる少なくとも１つの弾性ブロック（Ａ）であって、前記配列は、少なくとも１つのフッ素化モノマーに由来する繰り返し単位を含み、前記ブロック（Ａ）は、ＡＳＴＭ  Ｄ３４１８に従って測定されたときに２５℃未満のガラス転移温度を有する、少なくとも１つの弾性ブロック（Ａ）と、
（ｉｉ）繰り返し単位の配列からなる少なくとも１つの熱可塑性ブロック（Ｂ）であって、前記配列は、少なくとも１つのフッ素化モノマーに由来する繰り返し単位を含む、少なくとも１つの熱可塑性ブロック（Ｂ）と
を含み、
前記ポリマー（Ｆ−ＴＰＥ）中における前記ブロック（Ｂ）の結晶性及びその重量分率は、ＡＳＴＭ  Ｄ３４１８に従って測定されたときに最大２０Ｊ／ｇの前記ポリマー（Ｆ−ＴＰＥ）の融解熱（ΔＨｆ）を呈するようなものであり、
前記ポリマー（Ｆ−ＴＰＥ）は、５〜３５重量％の量で存在する、少なくとも１つの熱可塑性エラストマー［ポリマー（Ｆ−ＴＰＥ）］と、
−  最大２５重量％の量の少なくとも１つのメチルメタクリレートポリマー［ポリマー（Ｍ）］と
を含み、前記重量％は、ポリマー（Ｆ）、ポリマー（Ｆ−ＴＰＥ）及びポリマー（Ｍ）の重量の合計を基準とする、フルオロポリマー組成物。
【請求項１２】
ポリマー（Ｆ）、ポリマー（Ｆ−ＴＰＥ）及びポリマー（Ｍ）の総重量に対して、
−  ５５〜９０重量％、好ましくは６０〜８５重量％のポリマー（Ｆ−ＴＰＥ）、
−  ７〜３０重量％、好ましくは１０〜２７重量％のポリマー（Ｆ）、及び
−  ３〜２０重量％、好ましくは５〜１８重量％のポリマー（Ｍ）
を含む、請求項１１に記載の組成物（Ｃ）。
【請求項１３】
請求項１〜１２のいずれか一項に記載のフルオロポリマー組成物から作製された少なくとも１つの部品を含む携帯用電子機器。
【請求項１４】
携帯電話、パーソナルデジタルアシスタント、ラップトップコンピュータ、タブレットコンピュータ、ラジオ、カメラ及びカメラ付属品、腕時計、計算機、音楽プレーヤー、全地球測位システム受信機、携帯ゲーム機、ハードドライブ並びに他の電子記憶機器からなる群から選択される、請求項１３に記載の携帯用電子機器。
【請求項１５】
前記携帯用電子機器の前記少なくとも１つの部品は、携帯電話ハウジング、タブレットハウジング、ラップトップコンピュータハウジング及びタブレットコンピュータハウジングからなる群から選択される携帯用電子機器ハウジングである、請求項１３に記載の携帯用電子機器。
【請求項１６】
携帯用電子機器の部品を製造するための方法であって、請求項１〜１２のいずれか一項に記載の組成物（Ｃ）を成型して前記部品を提供することを含む方法。
【請求項１７】
携帯用電子機器を製造するための方法であって、
ａ．構成要素として少なくとも回路基板、スクリーン及びバッテリーを提供する工程と、
ｂ．請求項１〜１２のいずれか一項に記載のポリマー組成物（Ｃ）から少なくとも１つの部品を成型する工程と、
ｃ．前記構成要素の少なくとも１つを前記部品と組み立てるか又は前記構成要素の少なくとも１つを前記部品上に取り付ける工程と
を含む方法。